(57)【要約】      （修正有）【課題】ＬＥＤ照明のための専用の建築物の提供。【解決手段】屋根部Ｈａ１０と屋内部Ｈａ２０と屋内空間Ｈａ２１と部屋Ｈａ３０と部屋Ｈａ４０と部屋Ｈａ５０で構成され、電力制御装置Ｗには電柱ＷＴと電力線Ｔ１を介し電力会社からの交流電力Ｗ１が配電され交流／直流変換装置ＡＤａを収納した直流分電盤Ｄを設け、ＬＥＤ照明Ｅ１のための配線路ＤＬ１が部屋Ｈａ３０の近傍に設けられ、ＬＥＤ照明Ｅ２のための配線路ＤＬ２が部屋Ｈａ３０の近傍に設けられ、ＬＥＤ照明Ｅ７のための配線路ＤＬ３が部屋Ｈａ４０の近傍に設けられ、ＬＥＤ照明Ｅ９のための配線路ＤＬ４が部屋Ｈａ５０の近傍に設けられ、ＬＥＤ照明Ｅ１は専用端子Ｃ１を介して配線路ＤＬ１に接続され、ＬＥＤ照明Ｅ２は専用端子Ｃ２を介して配線路ＤＬ２に接続され、ＬＥＤ照明Ｅ７は専用端子Ｃ７を介して配線路ＤＬ３に接続され、ＬＥＤ照明Ｅ９は専用端子Ｃ９を介して配線路ＤＬ４に接続される。【選択図】図１
2014042437.tif 000002
【特許請求の範囲】
【請求項１】
交流分電盤または交流分電盤の近傍に交流電力を直流電力に変換する交流／直流変換装置を少なくとも一つ収納した直流分電盤を備えた建築物において、前記直流分電盤には電源部を設けないＬＥＤ照明の配線用の接続端子を設け、前記ＬＥＤ照明接続端子から前記建築物の任意の部位に前記ＬＥＤ照明の配線路を設け、前記ＬＥＤ照明配線路には少なくとも一つのＬＥＤ照明専用端子を設けられるようにしたことを特徴とする電源部の無いＬＥＤ照明専用の建築物。
【請求項２】
交流分電盤または交流分電盤の近傍に直流発電装置から提供される直流電力を制御する直流分電盤を備えた建築物において、前記直流分電盤には電源部を設けないＬＥＤ照明の配線用の接続端子を設け、前記ＬＥＤ照明接続端子から前記建築物の任意の部位に前記ＬＥＤ照明の配線路を設け、前記ＬＥＤ照明配線路には少なくとも一つのＬＥＤ照明専用端子を設けられるようにしたことを特徴とする電源部の無いＬＥＤ照明専用の建築物。
【請求項３】
前記ＬＥＤ照明専用端子には、直流電力の電圧レベルが互いに異なるように形成した出力端子又は／及び直流電力の電圧レベルが互いに異なるように形成させる手段を設けたことを特徴とする、請求項１または請求項２に記載の電源部の無いＬＥＤ照明専用の建築物。
【発明の詳細な説明】
【技術分野】
【０００１】  本発明は電源部の無いＬＥＤ照明専用の建築物に関するものである。
【背景技術】
【０００２】  従来、戸建て住宅、集合住宅、集合住宅の各住戸、事務所、工場、倉庫、等の建築物における電力系統は商用電力による交流配電が主体となっているが、近年分散電源として、太陽電池や燃料電池などの直流発電装置、気体燃料や液体燃料を用いた自家発電装置や風力発電装置などの交流発電装置、蓄電池や蓄電装置を設置する場合が増加しており、また、近年オーディオ機器、テレビ、パソコン等の整流器負荷すなわち直流負荷が家庭内に増加してきているため、例えば電気学会技術報告第８１８号「家庭内情報機器用電源の技術動向と標準化−ＩＴ時代の省エネルギー技術、給電方式技術、二次電池・充電器技術−」１３頁に記載されているように、商用の交流電力を直流に変換して給電する低圧直流給電システムも提案されているが、まだ十分に普及していない。
また、従来から、家庭用、事務所用の電気機器の本体自体は直流低電圧にて駆動するものも多く、それらは機器内部に直流コンバーターなどで１００ボルト交流電源から供給される電圧をそれぞれに必要とする直流低電圧に変換して駆動している。
また従来、屋内に直流電力を配電する直流配電システムとしては、分電盤と交流電源用コンセントを有し、交流電源用コンセントに直流出力電源端子が設けられ、分電盤内に変圧器と整流器が配設されて構成されており、変圧器によって１００ボルト又は２００ボルトの交流電圧を６ボルト、３ボルト、１．５ボルトの３種類の交流電圧に変換した後、これらの交流電圧を整流器で整流することによって６ボルト、３ボルト、１．５ボルトの３種類の直流電圧を得ることが可能な直流配電システムが知られているが、まだ十分に普及していない。
また従来から、前記建築物において、前記直流発電装置あるいは蓄電池や蓄電装置を設置する場合が増加しているが、一般的には前記直流発電装置あるいは蓄電池や蓄電装置からの出力は直流−交流電力変換装置に接続されており、直流電力を交流電力に変換させて利用していることが知られている。そのため従来のシステムにおいては、前記直流発電装置で発電した直流電力を一旦交流電力に変換した後に配電し、その交流電力を直流電力に再度変換して直流負荷に供給する構成となっているため電力変換に伴う損失が大きいという問題があった。【０００３】  そこで、下記のような開発案件が増加してきた。
例えば、一般家庭等における電力系統は商用電力による交流配電が主体であり、太陽電池、燃料電池あるいは蓄電池等の直流電源を分散電源として設置した場合でも、直流−交流、直流−直流の電力変換に伴う電力変換損失が問題となり、電力損失の少ない直流配電システムの実現が課題となっていた。その解決手段として、燃料電池等直流発電機出力と双方向直流−交流電力変換装置の直流出力側とを接続し、この接続点に直流電力変換装置を介して端末の直流コンセント群に給電する構成とし、直流電力変換装置を２基並列接続し、１基は上記接続とし、他の１基の出力には蓄電池を接続し、これらをさらに他の１基の直流電力変換装置に入力し停電時等非常用の直流コンセントに給電する構成とする「直流配電システム」が知られている。（特開２００３−２０４６８２号公報を参照する）【０００４】  また例えば、電化製品の普及とともに、オフィスや家庭のコンセント周りは、たこ足配線で危険性が高くなりこれを解消するためにＡＣアダプタ及びＤＣ電源出力を１個にし、ＤＣケーブルとＤＣ分岐アダプタと変換アダプタの構成で繋ぎ続けることで不必要な電線とたこ足配線をなくすことを課題とし、その解決手段として、ＡＣアダプタ及びＤＣ電源出力１を１個にし、ＤＣケーブル２で繋ぎＤＣ分岐アダプタ３でＤＣ電源を分岐しＯＵＴ１は間に変換アダプタ４を入れ規格通りに変換し電化製品Ａへ、ＯＵＴ２はＤＣケーブルで次の電化製品Ｂに繋げ続けるシステムである、「ＤＣ電源供給システム」が知られている。（特開２００６−２８８１７９号公報を参照する）【０００５】  また例えば、既存の交流配電用の分電盤を使用しつつ多箇所に直流電力を配電するとともに異常電流が流れた直流分電盤を知らせることができる手段を課題とし、その解決手段として、報知部は、信号受信部で通信信号を受信すると、信号判別制御部が記憶部のデータテーブルを参照して通信信号の送信元アドレスから異常電流を検出した主開閉器、さらに当該主開閉器が設置されている直流分電盤ＳＰＢｎの識別情報を取得し、取得した識別情報（例えば、異常電流が検出された直流分電盤ＳＰＢｎの番号や設置場所など）を表示部に表示させ、家人は報知部の報知内容（表示部で表示される識別情報）から異常電流が流れた直流分電盤ＳＰＢｎを知ることができて迅速な対応が可能となる「直流配電システム」が知られている。（特開２００９−１７８０２９号公報を参照する）【０００６】  また、近年、照明手段の節電対策としてＬＥＤ照明の普及が進んでいるが、導入コストの問題で、まだ十分ではないという問題点を指摘されている。また、ＬＥＤ照明はＬＥＤ（発光ダイオード）基板や電源部（電源基板）で構成するタイプが主に用いられているが、ＬＥＤ基板に比べ電源部の寿命が短いとかトラブルが多いという指摘を受けている。またＬＥＤ照明の普及に伴って、電源部が問題と考えられる発熱や過熱や発火という事故も報告されるようになってきた。
【発明の開示】
【発明が解決しようとする課題】
【０００７】  ところが、特開２００３−２０４６８２号公報の「直流配電システム」や、特開２００６−２８８１７９号公報の「ＤＣ電源供給システム」や、特開２００９−１７８０２９号公報の「直流配電システム」、などの開発や普及をまっているようだと、原子力発電の復旧や停止の問題で生じた、エネルギーの多様化、節電対策、電力不足、に対応するには間に合わない、という問題点を指摘されている。
そこで、すぐにでも対応可能であり、低コストで実現可能な、エネルギーの多様化、節電対策、電力不足、に対応できる建築物が求められている。例えば、オフィスビルのエネルギー消費の内、照明が約四分の一を占めていることが一般的に知られている。（フリージアマクロス株式会社資料を参照する）
また、ＬＥＤ照明に関しては、導入コストが安価で、電源部（電源基板）の耐久性や安全性を向上させたＬＥＤ照明の登場が望まれている。【０００８】  本発明は、上記の課題を解決するために成されたものであり、安全かつ低コストで実現可能であり、エネルギーの多様化、節電対策、電力不足、に対応できるＬＥＤ照明のための専用の建築物の提供を目的とする。
【課題を解決するための手段】
【０００９】  課題を解決するための第一の手段（請求項１）は、交流分電盤または交流分電盤の近傍に交流電力を直流電力に変換する交流／直流変換装置を少なくとも一つ収納した直流分電盤を備えた建築物において、前記直流分電盤には電源部を設けないＬＥＤ照明の配線用の接続端子を設け、前記ＬＥＤ照明接続端子から前記建築物の任意の部位に前記ＬＥＤ照明の配線路を設け、前記ＬＥＤ照明配線路には少なくとも一つのＬＥＤ照明専用端子を設けられるようにしたことを特徴とする電源部の無いＬＥＤ照明専用の建築物を提供することである。【００１０】  課題を解決するための第一の手段で記述した交流分電盤に関しては、電力会社から提供される交流電力、一般的に知られた交流発電手段であり本明細書で記載された建築物の内外の任意の場所に設置される交流発電装置から提供される交流電力を配電したり遮断したり制御したりする手段を備えているものとする。また、電力会社から提供される交流電力は、商用電力とも言われている。
課題を解決するための第一の手段で記述した交流電力に関しては、前記商用電力や一般的に知られた交流発電手段であり本明細書で記載された建築物の内外の任意の場所に設置される交流発電装置から提供される交流電力であり、一般的には１００Ｖや２００Ｖの交流電圧が単独または組み合わされて用いられるものとする。また前記交流発電装置の一例としては、一般的に市販されている自家発電装置、ヒートポンプ、マイクロガスタービン、小型水力発電装置、風力発電装置、電気自動車、などが知られており、単独で用いても組合わせて用いても構わない。
また前記交流電力に関しては、直流発電装置から提供される直流電力を直流／交流変換装置を介して提供される交流電力であっても構わないものとする。なお前記直流発電装置に関しては、太陽光発電装置、燃料電池、電気自動車、などが知られており、単独で用いても組合わせて用いても構わない。なお前記直流発電装置による直流電力に関しては、１．５Ｖ〜２００Ｖの範囲であれば任意で構わないものとする。また、前記直流／交流変換装置に関しては、前記直流電圧を１００Ｖや２００Ｖの交流電圧に変換する手段を備えていれば何を用いても構わないが、ＤＣ／ＡＣコンバータやＤＣ／ＡＣインバータやパワーコンディショナーなどを用いればよい。
また、前記直流／交流変換装置の入力側には充放電可能な蓄電池を接続できる端子を設けていても構わない。また前記交流発電装置や前記直流発電装置から提供される電力量が本明細書で記載された建築物の消費電力を超えた場合の余剰となった交流電力を電力会社に売電する手段を備えた電力制御装置を前記交流分電盤に備えていても構わない。【００１１】  課題を解決するための第一の手段で示された交流／直流変換装置に関しては、前記交流電圧を４８Ｖ、２４Ｖ、１２Ｖ、９Ｖ、６Ｖ、４．５Ｖ、３Ｖ、１．５Ｖ、などから選択する直流電圧に変換する手段を備えていれば何を用いても構わないが、従来周知のスイッチング電源装置からなるＡＣ／ＤＣコンバータや整流変圧器などを単独で用いたり組合わせて用いても構わない。また、前記交流／直流変換装置の出力側には充放電可能な蓄電池を接続できるようにした端子を設けていても構わないものとする。
課題を解決するための第一の手段で示された直流分電盤に関しては、本明細書で示した交流／直流変換装置、一般的に用いられている漏電遮断器からなる主開閉器、主開閉器１１の二次側に分岐接続された複数の分岐開閉器、各分岐開閉器の二次側に接続される配線路、より構成される。また、前記直流分電盤には充放電可能な蓄電池が接続できるようになっていても構わない。
課題を解決するための第一の手段で示された建築物に関しては、戸建て住宅、集合住宅、集合住宅の各住戸、事務所、オフィス、店舗、工場、倉庫、などを示している。また、前記店舗に関しては、百貨店、コンビニエンスストア、スーパーストア、などを示している。【００１２】  課題を解決するための第一の手段で示されたＬＥＤ照明に関しては、現在一般的に流通しているＬＥＤ（発光ダイオード）照明は、照明形状体の中にＬＥＤ（発光ダイオード）基板や電源部（電源基板）を内蔵させたタイプが主に用いられている。またＬＥＤ基板は一般的には、ＬＥＤ発光チップ、絶縁層、放熱部、必要によっては反射板、などで構成されている。また照明形状体には、電球形状、蛍光灯形状（棒状、ドーナッツ状）、水銀灯形状、などが一般的に用いられている。また電球形状のＬＥＤ照明は、一般的には「ＬＥＤ電球」として知られており、４０Ｗタイプ、６０Ｗタイプ、１００Ｗタイプ、などが一般的に用いられている。また蛍光灯形状のＬＥＤ照明は、一般的には「ＬＥＤ蛍光灯」として知られており、２０Ｗタイプ、４０Ｗタイプ、４０Ｗタイプ、などが一般的に用いられている。また水銀灯形状のＬＥＤ照明は、一般的には「ＬＥＤ水銀灯」として知られており、１００Ｗタイプ、２００Ｗタイプ、などが一般的に用いられている。【００１３】  課題を解決するための第一の手段で示された電源部を設けないＬＥＤ照明（以下、無電源部ＬＥＤ照明と略す）に関しては、現在一般的に流通しているＬＥＤ（発光ダイオード）照明は、照明形状体の中にＬＥＤ（発光ダイオード）基板や電源部（電源基板、電源回路、電気回路）を内蔵させたタイプが主に用いられ、ＬＥＤ基板は一般的には、ＬＥＤ発光チップ、絶縁層、放熱部、必要によっては反射板、などで構成されているが、本発明で用いるＬＥＤ照明に関しては、電源部（電源基板）を用いないで、ＬＥＤ発光チップ、絶縁層、放熱部、必要によっては反射板、などで構成されているＬＥＤ照明を用いるものとする。ただし、照明形状体に関しては、電球形状、蛍光灯形状（棒状、ドーナッツ状）、水銀灯形状、などはそのまま用いられるものとし、また電球形状のＬＥＤ照明は、一般的には「ＬＥＤ電球」として知られており、４０Ｗタイプ、６０Ｗタイプ、１００Ｗタイプ、などはＬＥＤ発光チップの調節だけで容易に作製可能であり、また蛍光灯形状のＬＥＤ照明は、一般的には「ＬＥＤ蛍光灯」として知られており、２０Ｗタイプ、４０Ｗタイプ、４０Ｗタイプ、などはＬＥＤ発光チップの調節だけで容易に作製可能であり、また水銀灯形状のＬＥＤ照明は、一般的には「ＬＥＤ水銀灯」として知られており、１００Ｗタイプ、２００Ｗタイプ、などはＬＥＤ発光チップの調節だけで容易に作製可能である。
前記無電源部ＬＥＤ照明に関しては、ＬＥＤ発光チップの負荷抵抗の平準化または調節用に少なくとも一つの抵抗素子や抵抗チップを内蔵しても構わないものとする。
前記ＬＥＤ照明に関しては、天井用、玄関灯、多目的灯、ペンダント、スポットライト、ゼットライト、卓上ライト、廊下用、トイレ用、階段用、浴室用、防犯灯、非常用、建築物外部（屋根、外壁、など）装飾用、建築物周辺部（庭部、庭木、など）、などの照明手段（ライトアップ用も含む）として用いられるものとする。また、前記天井用に関しては、シーリングライト、天井埋め込み型のベースライト、などを示している。【００１４】  課題を解決するための第一の手段で示された前記直流分電盤には電源部を設けないＬＥＤ照明の配線用の接続端子を設けることに関しては、前記無電源部ＬＥＤ照明のＬＥＤ発光チップに直接、４８Ｖ、２４Ｖ、１２Ｖ、９Ｖ、６Ｖ、４．５Ｖ、３Ｖ、１．５Ｖ、などから選択する直流電圧を提供できるように形成した接続端子を少なくとも一つ前記直流分電盤に設けるようになっていれば、その形状や構造に関しては特に制限は設けないものとする。
課題を解決するための第一の手段で示されたＬＥＤ照明専用端子に関しては、本明細書で示した建築物に、壁コンセント、床コンセント、天井コンセント、などの形態で設けられ、夫々任意の数量を単独で設けても組合わせて設けても構わないものとする。また、前記ＬＥＤ照明専用端子は、本発明の実施者が前記建築物の建築時に施工してもよいし、前記建築物の住人が建築後に施工してもよいし、本発明の実施権者がリフォーム業者や内装業者に委託して建築後に施工してもよいものとする。【００１５】  課題を解決するための第二の手段（請求項２）は、交流分電盤または交流分電盤の近傍に直流発電装置から提供される直流電力を制御する直流分電盤を備えた建築物において、前記直流分電盤には電源部を設けないＬＥＤ照明の配線用の接続端子を設け、前記ＬＥＤ照明接続端子から前記建築物の任意の部位に前記ＬＥＤ照明の配線路を設け、前記ＬＥＤ照明配線路には少なくとも一つのＬＥＤ照明専用端子を設けられるようにしたことを特徴とする電源部の無いＬＥＤ照明専用の建築物を提供することである。【００１６】  課題を解決するための第二の手段で記述した交流分電盤に関しては、電力会社から提供される交流電力を配電したり遮断したり制御したりする手段を備えているものとする。また、電力会社から提供される交流電力は、商用電力とも言われている。前記商用電力に関しては、一般的には１００Ｖや２００Ｖの交流電圧が単独または組み合わされて用いられるものとする。
課題を解決するための第二の手段で示された直流発電装置に関しては、太陽光発電装置、燃料電池、電気自動車、などが知られており、単独で用いても組合わせて用いても構わない。また前記直流発電装置から提供される直流電力に関しては、１．５Ｖ〜２００Ｖの範囲であれば任意で構わないものとし、また１．５Ｖ〜２００Ｖの中から任意の直流電力を選択できるものとする。
課題を解決するための第二の手段で示された直流分電盤に関しては、前記直流発電装置から提供される直流電力を制御する手段や配電する手段が設けられていればどんな手段が用いられていても構わない。例えば、前記直流電力を制御する手段としては、直流／直流変換装置を設け、１．５Ｖ〜２００Ｖの中から選択した任意の直流電力を、４８Ｖ、２４Ｖ、１２Ｖ、９Ｖ、６Ｖ、４．５Ｖ、３Ｖ、１．５Ｖ、などから選択する直流電圧に変換する手段を備えていても構わない。また、前記直流／直流変換装置には市販されているＤＣ／ＤＣコンバータを用いてもよい。また、前記直流分電盤には充放電可能な蓄電池が接続できるようになっていても構わないものとする。
直流／直流変換装置、【００１７】  課題を解決するための第二の手段で示された建築物に関しては、戸建て住宅、集合住宅、集合住宅の各住戸、事務所、オフィス、店舗、工場、倉庫、などを示している。また、前記店舗に関しては、百貨店、コンビニエンスストア、スーパーストア、などを示している。
また、前記直流発電装置から提供される電力量が前記建築物の消費電力を超えた場合の余剰となった直流電力を電力会社に売電する手段を備えた電力電制御装置を前記交流分電盤や前記直流分電盤に備えていてもよい。【００１８】  課題を解決するための第二の手段で示されたＬＥＤ照明に関しては、現在一般的に流通しているＬＥＤ（発光ダイオード）照明は、照明形状体の中にＬＥＤ（発光ダイオード）基板や電源部（電源基板）を内蔵させたタイプが主に用いられている。またＬＥＤ基板は一般的には、ＬＥＤ発光チップ、絶縁層、放熱部、必要によっては反射板、などで構成されている。また照明形状体には、電球形状、蛍光灯形状（棒状、ドーナッツ状）、水銀灯形状、などが一般的に用いられている。また電球形状のＬＥＤ照明は、一般的には「ＬＥＤ電球」として知られており、４０Ｗタイプ、６０Ｗタイプ、１００Ｗタイプ、などが一般的に用いられている。また蛍光灯形状のＬＥＤ照明は、一般的には「ＬＥＤ蛍光灯」として知られており、２０Ｗタイプ、４０Ｗタイプ、４０Ｗタイプ、などが一般的に用いられている。また水銀灯形状のＬＥＤ照明は、一般的には「ＬＥＤ水銀灯」として知られており、１００Ｗタイプ、２００Ｗタイプ、などが一般的に用いられている。【００１９】  課題を解決するための第二の手段で示された電源部を設けないＬＥＤ照明（以下、無電源部ＬＥＤ照明と略す）に関しては、現在一般的に流通しているＬＥＤ（発光ダイオード）照明は、照明形状体の中にＬＥＤ（発光ダイオード）基板や電源部（電源基板、電源回路、電気回路）を内蔵させたタイプが主に用いられ、ＬＥＤ基板は一般的には、ＬＥＤ発光チップ、絶縁層、放熱部、必要によっては反射板、などで構成されているが、本発明で用いるＬＥＤ照明に関しては、電源部（電源基板）を用いないで、ＬＥＤ発光チップ、絶縁層、放熱部、必要によっては反射板、などで構成されているＬＥＤ照明を用いるものとする。ただし、照明形状体に関しては、電球形状、蛍光灯形状（棒状、ドーナッツ状）、水銀灯形状、などはそのまま用いられるものとし、また電球形状のＬＥＤ照明は、一般的には「ＬＥＤ電球」として知られており、４０Ｗタイプ、６０Ｗタイプ、１００Ｗタイプ、などはＬＥＤ発光チップの調節だけで容易に作製可能であり、また蛍光灯形状のＬＥＤ照明は、一般的には「ＬＥＤ蛍光灯」として知られており、２０Ｗタイプ、４０Ｗタイプ、４０Ｗタイプ、などはＬＥＤ発光チップの調節だけで容易に作製可能であり、また水銀灯形状のＬＥＤ照明は、一般的には「ＬＥＤ水銀灯」として知られており、１００Ｗタイプ、２００Ｗタイプ、などはＬＥＤ発光チップの調節だけで容易に作製可能である。
前記無電源部ＬＥＤ照明に関しては、ＬＥＤ発光チップの負荷抵抗の平準化または調節用に少なくとも一つの抵抗素子や抵抗チップを内蔵しても構わないものとする。
前記ＬＥＤ照明に関しては、天井用、玄関灯、多目的灯、ペンダント、スポットライト、ゼットライト、卓上ライト、廊下用、トイレ用、階段用、浴室用、防犯灯、非常用、建築物外部（屋根、外壁、など）装飾用、建築物周辺部（庭部、庭木、など）、などの照明手段（ライトアップ用も含む）として用いられるものとする。また、前記天井用に関しては、シーリングライト、天井埋め込み型のベースライト、などを示している。【００２０】  課題を解決するための第二の手段で示された前記直流分電盤には電源部を設けないＬＥＤ照明の配線用の接続端子を設けることに関しては、前記無電源部ＬＥＤ照明のＬＥＤ発光チップに直接、４８Ｖ、２４Ｖ、１２Ｖ、９Ｖ、６Ｖ、４．５Ｖ、３Ｖ、１．５Ｖ、などから選択する直流電圧を提供できるように形成した接続端子を少なくとも一つ前記直流分電盤に設けるようになっていれば、その形状や構造に関しては特に制限は設けないものとする。
課題を解決するための第二の手段で示されたＬＥＤ照明専用端子に関しては、本明細書で示した建築物に、壁コンセント、床コンセント、天井コンセント、などの形態で設けられ、夫々任意の数量を単独で設けても組合わせて設けても構わないものとする。また、前記ＬＥＤ照明専用端子は、本発明の実施者が前記建築物の建築時に施工してもよいし、前記建築物の住人が建築後に施工してもよいし、本発明の実施権者がリフォーム業者や内装業者に委託して建築後に施工してもよいものとする。【００２１】  課題を解決するための第三の手段（請求項３）は、前記ＬＥＤ照明専用端子には、直流電力の電圧レベルが互いに異なるように形成した出力端子又は／及び直流電力の電圧レベルが互いに異なるように形成させる手段を設けたことを特徴とする、課題を解決するための第一の手段または課題を解決するための第二の手段に記載の電源部の無いＬＥＤ照明専用の建築物を提供することである。【００２２】  課題を解決するための第三の手段で示された前記ＬＥＤ照明専用端子には、直流電力の電圧レベルが互いに異なるように形成した出力端子に関しては、４８Ｖ、２４Ｖ、１２Ｖ、９Ｖ、６Ｖ、４．５Ｖ、３Ｖ、１．５Ｖ、などから選択する少なくとも一つの直流電圧を提供できるように形成した出力端子であり、例えば選択された直流電圧が、１２Ｖ、９Ｖ、６Ｖ、４．５Ｖ、３Ｖ、１．５Ｖ、であれば夫々が認識できるようにかつ夫々のコネクターが異なる直流電圧の出力端子に接合されないように形成されるのが好ましい。
課題を解決するための第三の手段で示された直流電力の電圧レベルが互いに異なるように形成させる手段に関しては、前記ＬＥＤ照明専用端子または前記直流電圧出力端子に所定の抵抗値（０．１Ω〜１ｋΩの中から選択）を有する抵抗素子または所定の可変抵抗値（０．１Ω〜１ｋΩの中から選択）を有する可変抵抗素子の中の少なくとも一つ用いることで、１２Ｖを９Ｖに変換したり、９Ｖを６Ｖに変換したり、６Ｖを４．５Ｖに変換したり、４．５Ｖを３Ｖに変換したり、３Ｖを１．５Ｖに変換したり、する手段を設けてもよいものとする。【００２３】
【発明の効果】
【００２４】  本発明の電源部の無いＬＥＤ照明専用の建築物によって、本明細書で記載した建築物に用いる照明全体をＬＥＤ照明にすることを容易に実現できる。また、電源部の無いＬＥＤ照明を用いることで安価な費用でＬＥＤ照明の導入が可能になる。したがって、ＬＥＤ照明の普及率を向上させることができる。【００２５】  本発明の電源部の無いＬＥＤ照明専用の建築物によって、本明細書で示したＬＥＤ照明専用端子をＬＥＤ照明以外の通信機器や家電製品にも利用できるように形成することで、内臓の交流／直流変換装置が不要な通信機器や家電製品の設計が可能になり、その結果デザインの自由度が増し、コンパクト化が図れ、又機器寿命が電源部の寿命に左右されないことで低価格長寿命となる、通信機器や家電製品の開発が可能になる建築物を提供できる。【００２６】  本発明によって、本明細書で記載した交流分電盤や直流分電盤にバックアップ用蓄電池を装備することで、災害等の停電時にもＬＥＤ照明や通信機器や家電製品が機能する建築物を提供できる。【００２７】  本発明の電源部の無いＬＥＤ照明専用の建築物は全体の消費電力を低減できることによって、太陽光発電装置や燃料電池からの電力を電力会社に売電できるような手段を設けている場合は、より多くの売電が可能になる建築物の提供が可能になる。【００２８】
【発明を実施するための最良の形態】
【００３０】  以下、本発明を建築物の一例より戸建て住宅に適用した実施形態について図１〜図４を参照しながら詳細に説明する。図１は本発明の実施の形態例を示す概略説明図であり、図２は本発明の実施の形態例を示す概略説明図であり、図３は図１を説明するブロック図であり、図４は図２を説明するブロック図である。
【実施例１】
【００３１】  図１と図３を用いて請求項１の実施の形態例を説明すると、Ｈａは本発明を導入した二階建ての戸建て住宅であり、住宅Ｈａは屋根部Ｈａ１０と屋内部Ｈａ２０で構成され、屋内部Ｈａ２０には少なくとも屋内空間Ｈａ２１と部屋Ｈａ３０と部屋Ｈａ４０と部屋Ｈａ５０が設けられている。部屋Ｈａ３０は天井部Ｈａ３１や壁面部Ｈａ３２や床部Ｈａ３３で形成され、部屋Ｈａ４０は天井部Ｈａ４１や壁面部Ｈａ４２や床部Ｈａ４３で形成され、部屋Ｈａ５０は天井部Ｈａ５１や壁面部Ｈａ５２や床部Ｈａ５３で形成される。ＷＴは建築物Ｈａの近傍に設置されている電柱であり、電柱ＷＴには電力会社からの電力線が設けられ、Ｗは住宅Ｈａの所定部位に設けられた交流分電盤であり、交流分電盤Ｗには電柱ＷＴからの電力線ＷＴ１が配線され電力会社からの交流電力Ｗ１が配電され、交流電力Ｗ１は交流分電盤Ｗで分電されて交流電力Ｗ２や交流電力Ｗ３（図示せず）や交流電力Ｗ４（図示せず）となる。Ｄ１は交流電力Ｗ２を直流電力に変換する交流／直流変換装置ＡＤａを少なくとも一つ収納した直流分電盤であり、交流分電盤Ｗの近傍又はその内部又はその外部に設けられている。ＡＤ１は交流／直流変換装置ＡＤａを介して直流分電盤Ｄに設けられ電源部を設けないことを特徴とするＬＥＤ照明であるＥ１の配線用の接続端子であり直流３Ｖから直流４８Ｖまでの選択可能手段が設けられ当該手段を介して直流１２Ｖに設定され、ＡＤ２は交流／直流変換装置ＡＤａを介して直流分電盤Ｄ１に設けられ電源部を設けないことを特徴とするＬＥＤ照明であるＥ２の配線用の接続端子であり直流３Ｖから直流４８Ｖまでの選択可能手段が設けられ当該手段を介して直流３Ｖに設定され、ＡＤ３は交流／直流変換装置ＡＤａを介して直流分電盤Ｄに設けられ電源部を設けないことを特徴とするＬＥＤ照明であるＥ７の配線用の接続端子であり直流３Ｖから直流４８Ｖまでの選択可能手段が設けられ当該手段を介して直流６Ｖに設定され、ＡＤ４は交流／直流変換装置ＡＤａを介して直流分電盤Ｄ１に設けられ電源部を設けないことを特徴とするＬＥＤ照明であるＥ９の配線用の接続端子であり直流３Ｖから直流４８Ｖまでの選択可能手段が設けられ当該手段を介して直流９Ｖに設定されている。ＬＥＤ照明接続端子ＡＤ１からはＬＥＤ照明Ｅ１のための配線路ＤＬ１が屋内空間Ｈａ２１でかつ部屋Ｈａ３０の近傍に設けられ、ＬＥＤ照明接続端子ＡＤ２からはＬＥＤ照明Ｅ２のための配線路ＤＬ２が屋内空間Ｈａ２１でかつ部屋Ｈａ３０の近傍に設けられ、ＬＥＤ照明接続端子ＡＤ３からはＬＥＤ照明Ｅ７のための配線路ＤＬ３が屋内空間Ｈａ２１でかつ部屋Ｈａ４０の近傍に設けられ、ＬＥＤ照明接続端子ＡＤ４からはＬＥＤ照明Ｅ９のための配線路ＤＬ４が屋内空間Ｈａ２１でかつ部屋Ｈａ５０の近傍に設けられている。部屋Ｈａ３０の天井部Ｈａ３１の任意部位にはＬＥＤ照明専用端子Ｃ１とＬＥＤ照明専用端子Ｃ２が設けられ、ＬＥＤ照明専用端子Ｃ１には配線路ＤＬ１が接続されＬＥＤ照明専用端子Ｃ２には配線路ＤＬ２が接続される。部屋Ｈａ４０の床部Ｈａ４３の任意部位にはＬＥＤ照明専用端子Ｃ７が設けられ、ＬＥＤ照明専用端子Ｃ７には配線路ＤＬ３が接続される。部屋Ｈａ５０の壁面部Ｈ���５２の任意部位にはＬＥＤ照明専用端子Ｃ９が設けられ、ＬＥＤ照明専用端子Ｃ９には配線路ＤＬ４が接続される。ＬＥＤ照明Ｅ１は天井用照明であり接続コードＬ１を介してＬＥＤ照明専用端子Ｃ１に着脱可能手段を介して接続され、ＬＥＤ照明Ｅ２は非常用照明でありＬＥＤ照明専用端子Ｃ２に着脱可能手段を介して接続され、ＬＥＤ照明Ｅ７は卓上ライトであり接続コードＬ７を介して、ＬＥＤ照明専用端子Ｃ７に着脱可能手段を介して接続され、ＬＥＤ照明Ｅ９はスポットライトであり接続コードＬ９を介してＬＥＤ照明専用端子Ｃ９に着脱可能手段を介して接続される。
【実施例２】
【００３２】  図１と図３より、実施例１の交流分電盤Ｗには、電力会社から提供される交流電力Ｗ１の他に、図示はしないが、公知の交流発電装置ＡＰ（市販されている自家発電装置ＡＰ１、マイクロガスタービンＡＰ２、小型水力発電装置ＡＰ３、風力発電装置ＡＰ４、など）から提供される交流電力を配電したり遮断したり制御したりする手段が備えても構わないものとする。また、ＤＰ１は一般的に市販されている直流発電装置の中から選択した太陽光発電装置であり、太陽光発電装置ＤＰ１は住宅Ｈａの屋根部Ｈａ１０に着脱可能に設置されており、太陽光発電装置ＤＰ１で発電された直流電力ＤＷ１０は配線ＤＷ１１を介して交流分電盤Ｗの近傍又はその内部又はその外部に設けられた直流／交流変換装置ＤＡ１に接続され、１００Ｖや２００Ｖの交流電圧ｄａ１に変換され、交流電圧ｄａ１は交流／直流変換装置ＡＤａによって直流電圧に変換され、ＬＥＤ照明接続端子ＡＤ１やＬＥＤ照明接続端子ＡＤ２やＬＥＤ照明接続端子ＡＤ３やＬＥＤ照明接続端子ＡＤ４に提供される。また、交流分電盤Ｗの近傍に充放電可能な蓄電池Ｂ１を設け直流／交流変換装置ＤＡ１に端子と配線を介して接続され太陽光発電装置ＤＰ１で発電された直流電力ＤＷ２０が配線ＤＷ２１を介して蓄電されるようになっていてもよく、この場合の蓄電池Ｂ１の作用としては、太陽光発電装置ＤＰ１で発電された直流電力ＤＷ２０を蓄電池Ｂ１に充電し、必要な時にはいつでも蓄電池Ｂ１から放電された直流電力ＤＷ３０を直流／交流変換装置ＤＡ１を介してＬＥＤ照明接続端子ＡＤ１やＬＥＤ照明接続端子ＡＤ２やＬＥＤ照明接続端子ＡＤ３やＬＥＤ照明接続端子ＡＤ４に提供することが可能になる。またこの実施例では、一般的に市販されている直流発電装置の中から太陽光発電装置ＤＰ１を選択したが、太陽光発電装置ＤＰ１に代えて、又は組合わせて燃料電池ＤＰ２（図示せず）やプラグインハイブリッド自動車ＤＰ３（図示せず）を用いてもよい。
【実施例３】
【００３３】  図１と図３より、交流分電盤Ｗの近傍に充放電可能な蓄電池Ｂ２を設け、交流／直流変換装置ＡＤａには、蓄電池Ｂ２を端子と配線を介して接続可能な手段を設けることで、例えば、実施例２で記述した交流発電装置ＡＰ（図示せず）を用いたとすると、交流発電装置ＡＰの交流電力を交流／直流変換装置ＡＤａを介して蓄電池Ｂ２に充電し、必要な時にはいつでも蓄電池Ｂ２から放電された直流電力をＬＥＤ照明接続端子ＡＤ１やＬＥＤ照明接続端子ＡＤ２やＬＥＤ照明接続端子ＡＤ３やＬＥＤ照明接続端子ＡＤ４に提供することが可能になる。また例えば、電力会社からの交流電力Ｗ１の中でも深夜電力を利用することで、深夜電力の交流電力Ｗ１を交流／直流変換装置ＡＤａを介して蓄電池Ｂ２に充電し、必要な時にはいつでも蓄電池Ｂ２から放電された直流電力をＬＥＤ照明接続端子ＡＤ１やＬＥＤ照明接続端子ＡＤ２やＬＥＤ照明接続端子ＡＤ３やＬＥＤ照明接続端子ＡＤ４に提供することが可能になる。
また図１と図３より、ＡＤｎ（ｎは５以上の自然数）は直流分電盤Ｄ１に設けられ電源部を設けないことを特徴とするＬＥＤ照明を少なくとも一つ以上追加接続するための接続端子であり、直流電圧は、４８Ｖ、２４Ｖ、１２Ｖ、９Ｖ、６Ｖ、４．５Ｖ、３Ｖ、１．５Ｖ、などから選択できるように構成される。ＬＥＤ照明接続端子ＡＤｎには、住宅Ｈａの屋内空間や屋外空間（建築物外部（屋根、外壁、など）装飾用、建築物周辺部（庭部、庭木、など））などに配線路ＤＬｎ（ｎは５以上の自然数）が接続されるように構成される。配線路ＤＬｎ（ｎは５以上の自然数）には、ＬＥＤ照明専用端子Ｃｎ（ｎは９以上の自然数）が少なくとも一つ以上設けられるように構成される。ＬＥＤ照明専用端子Ｃｎ（ｎは９以上の自然数）は、ＬＥＤ照明Ｅｎ（ｎは９以上の自然数）が着脱可能に接続されるように形成されている。ＬＥＤ照明Ｅｎ（ｎは９以上の自然数）は本明細書に記載した電源部を設けないことを特徴とするＬＥＤ照明の中から選択され、単独または複数以上組合わせて用いられるようになっている。
【実施例４】
【００３４】  図１と図３より、直流／交流変換装置ＤＡ１と交流分電盤Ｗの間に、電力会社から提供される交流電力Ｗ１と太陽光発電装置ＤＰ１から提供される直流電力ＤＷ１の電力量が住宅Ｈａの消費電力を超えた場合の余剰となった交流電力を電力会社に売電する手段を備えた電力制御装置Ｓ１を交流分電盤Ｗの近傍又はその内部又はその外部に備えていても構わない。また、例えば住宅Ｈａで使用される消費電力を約２ｋｗ／ｈになるようにＬＥＤ照明Ｅｎ（ｎは１以上の自然数）の使用数や配置を設計することで、例えば好天時での発電量が約３ｋｗ／ｈになるよう設計された太陽光発電装置ＤＰ１を設置することで、日中で好天時に余剰になる電力約１ｋｗは余剰電力Ｗ５として電力制御装置Ｓ１と交流分電盤Ｗと電力線ＷＴ１を介して電力会社に売電されるようにすることも可能である。また、交流／直流変換装置ＡＤａと交流分電盤Ｗの間に、例えば実施例２で示した交流発電装置ＡＰ（図示せず）を用いたとすると交流発電装置ＡＰの交流電力Ｗ６や、例えば電力会社からの交流電力Ｗ１の中でも深夜電力を利用することで深夜電力の交流電力Ｗ１を交流／直流変換装置ＡＤａを介して蓄電池Ｂ２に充電し必要な時にはいつでも蓄電池Ｂ２から放電された交流／直流変換装置ＡＤａを介して提供される交流電力Ｗ６を電力会社に売電する手段を備えた電力制御装置Ｓ２を交流分電盤Ｗの近傍又はその内部又はその外部に備えて居ることが好ましい。さらに、蓄電池Ｂ１の放電能力を約１ｋｗ／ｈになるように、また蓄電池Ｂ２の蓄電能力を約１ｋｗ／ｈになるように設けることで、例えば、日中太陽光発電装置ＤＰ１が約３ｋｗ／ｈで稼動している間は、蓄電池Ｂ１と蓄電池Ｂ２の能力で住宅Ｈａの消費電力を賄えるので、太陽光発電装置ＤＰ１の約３ｋｗ／ｈを余剰電力Ｗ５として電力制御装置Ｓ１と交流分電盤Ｗと電力線ＷＴ１を介して電力会社に売電することも可能になる。また、蓄電池Ｂ１と蓄電池Ｂ２は分離可能なように形成されていてもよいし一体型でも構わないものとする。
【実施例５】
【００３５】  図１と図３より、ＬＥＤ照明専用端子Ｃ１は、直流３Ｖから直流４８Ｖまでの選択可能手段が設けられ、また少なくとも一つ以上の端子が増設可能になっており、その中の一つを用いて直流駆動の電子機器や電気器具を接続できるように形成されていることが好ましく、またＬＥＤ照明専用端子Ｃ１には、夫々の電子機器や電気器具の電力量に合わせて選択された抵抗素子の付加も可能になっていることが好ましい。
図１と図３より、ＬＥＤ照明専用端子Ｃ２は、直流３Ｖから直流４８Ｖまでの選択可能手段が設けられ、また少なくとも一つ以上の端子が増設可能になっており、その中の一つを用いて直流駆動の電子機器や電気器具を接続できるように形成されていることが好ましく、またＬＥＤ照明専用端子Ｃ２には、夫々の電子機器や電気器具の電力量に合わせて選択された抵抗素子の付加も可能になっていることが好ましい。
図１と図３より、ＬＥＤ照明専用端子Ｃ３は、直流３Ｖから直流４８Ｖまでの選択可能手段が設けられ、また少なくとも一つ以上の端子が増設可能になっており、その中の一つを用いて直流駆動の電子機器や電気器具を接続できるように形成されていることが好ましく、またＬＥＤ照明専用端子Ｃ３には、夫々の電子機器や電気器具の電力量に合わせて選択された抵抗素子の付加も可能になっていることが好ましい。
図１と図３より、ＬＥＤ照明専用端子Ｃ４は、直流３Ｖから直流４８Ｖまでの選択可能手段が設けられ、また少なくとも一つ以上の端子が増設可能になっており、その中の一つを用いて直流駆動の電子機器や電気器具を接続できるように形成されていることが好ましく、またＬＥＤ照明専用端子Ｃ４には、夫々の電子機器や電気器具の電力量に合わせて選択された抵抗素子の付加も可能になっていることが好ましい。
図１と図３より、ＬＥＤ照明専用端子Ｃ５は、直流３Ｖから直流４８Ｖまでの選択可能手段が設けられ、また少なくとも一つ以上の端子が増設可能になっており、その中の一つを用いて直流駆動の電子機器や電気器具を接続できるように形成されていることが好ましく、またＬＥＤ照明専用端子Ｃ５には、夫々の電子機器や電気器具の電力量に合わせて選択された抵抗素子の付加も可能になっていることが好ましい。
図１と図３より、ＬＥＤ照明専用端子Ｃ６は、直流３Ｖから直流４８Ｖまでの選択可能手段が設けられ、また少なくとも一つ以上の端子が増設可能になっており、その中の一つを用いて直流駆動の電子機器や電気器具を接続できるように形成されていることが好ましく、またＬＥＤ照明専用端子Ｃ６には、夫々の電子機器や電気器具の電力量に合わせて選択された抵抗素子の付加も可能になっていることが好ましい。
図１と図３より、ＬＥＤ照明専用端子Ｃ７は、直流３Ｖから直流４８Ｖまでの選択可能手段が設けられ、また少なくとも一つ以上の端子が増設可能になっており、その中の一つを用いて直流駆動の電子機器や電気器具を接続できるように形成されていることが好ましく、またＬＥＤ照明専用端子Ｃ７には、夫々の電子機器や電気器具の電力量に合わせて選択された抵抗素子の付加も可能になっていることが好ましい。
図１と図３より、ＬＥＤ照明専用端子Ｃ８は、直流３Ｖから直流４８Ｖまでの選択可能手段が設けられ、また少なくとも一つ以上の端子が増設可能になっており、その中の一つを用いて直流駆動の電子機器や電気器具を接続できるように形成されていることが好ましく、またＬＥＤ照明専用端子Ｃ８には、夫々の電子機器や電気器具の電力量に合わせて選択された抵抗素子の付加も可能になっていることが好ましい。
図１と図３より、ＬＥＤ照明専用端子Ｃ９は、直流３Ｖから直流４８Ｖまでの選択可能手段が設けられ、また少なくとも一つ以上の端子が増設可能になっており、その中の一つを用いて直流駆動の電子機器や電気器具を接続できるように形成されていることが好ましく、またＬＥＤ照明専用端子Ｃ９には、夫々の電子機器や電気器具の電力量に合わせて選択された抵抗素子の付加も可能になっていることが好ましい。
図１と図３より、ＬＥＤ照明専用端子Ｃｎ（ｎ：９以上の自然数）は、直流３Ｖから直流４８Ｖまでの選択可能手段が設けられ、また少なくとも一つ以上の端子が増設可能になっており、その中の一つを用いて直流駆動の電子機器や電気器具を接続できるように形成されていることが好ましく、またＬＥＤ照明専用端子Ｃｎ（ｎ：９以上の自然数）には、夫々の電子機器や電気器具の電力量に合わせて選択された抵抗素子の付加も可能になっていることが好ましい。
【実施例６】
【００３６】  図２と図４を用いて請求項２の実施の形態例を説明すると、Ｈｂは本発明を導入した二階建ての戸建て住宅であり、住宅Ｈｂは屋根部Ｈｂ１０と屋内部Ｈｂ２０で構成され、屋内部Ｈｂ２０には少なくとも屋内空間Ｈｂ２１と部屋Ｈｂ３０と部屋Ｈｂ４０と部屋Ｈｂ５０が設けられている。部屋Ｈｂ３０は天井部Ｈｂ３１や壁面部Ｈｂ３２や床部Ｈｂ３３で形成され、部屋Ｈｂ４０は天井部Ｈｂ４１や壁面部Ｈｂ４２や床部Ｈｂ４３で形成され、部屋Ｈｂ５０は天井部Ｈｂ５１や壁面部Ｈｂ５２や床部Ｈｂ５３で形成される。ＹＴは建築物Ｈｂの近傍に設置されている電柱であり、電柱ＹＴには電力会社からの電力線が設けられ、Ｙは住宅Ｈｂの所定部位に設けられた交流分電盤であり、交流分電盤Ｙには電柱ＹＴからの電力線ＹＴ１が配線され電力会社からの交流電力Ｙ１が配電される。ＤＰ２は一般的に市販されている直流発電装置の中から選択した燃料電池であり、燃料電池ＤＰ２は住宅Ｈｂの任意部位または交流分電盤Ｙの近傍に着脱可能に設置されており、燃料電池ＤＰ２で発電された直流電力ＤＹ１０は配線ＤＹ１１を介して交流分電盤Ｙの近傍又はその内部又はその外部に設けられた直流／直流変換装置ＤＤに接続され、直流電力ＤＹ１０は直流／直流変換装置ＤＤによって所定の直流電圧に変換され、ＬＥＤ照明接続端子ＤＤ１やＬＥＤ照明接続端子ＤＤ２やＬＥＤ照明接続端子ＤＤ３やＬＥＤ照明接続端子ＤＤ４に提供される。また、燃料電池ＤＰ２の近傍に充放電可能な蓄電池Ｂ３を設けることで、蓄電池Ｂ３を燃料電池ＤＰ２の出力側や直流／直流変換装置ＤＤの入力側や直流／直流変換装置ＤＤの出力側に配線を介して接続すると、燃料電池ＤＰ２で発電された直流電力ＤＹ１０を蓄電池Ｂ３に充電し、必要な時にはいつでも蓄電池Ｂ３から放電された直流電力ＤＹ２０をＬＥＤ照明接続端子ＤＤ１やＬＥＤ照明接続端子ＤＤ２やＬＥＤ照明接続端子ＤＤ３やＬＥＤ照明接続端子ＤＤ４に提供することが可能になる。またこの実施例では、一般的に市販されている直流発電装置の中から燃料電池ＤＰ２を選択したが、燃料電池ＤＰ２に代えて、又は組合わせて太陽光発電装置ＤＰ１（図示せず）や電気自動車ＤＰ３（図示せず）を用いてもよい。また、直流／直流変換装置ＤＤには出力する直流電力を、４８Ｖ、２４Ｖ、１２Ｖ、９Ｖ、６Ｖ、４．５Ｖ、３Ｖ、１．５Ｖ、などから選択する直流電圧に変換する手段を備えていてもよいし、夫々を出力する直流／直流変換装置の集合体でもよいものとする。Ｄ２は燃料電池ＤＰ２で発電された直流電力ＤＹ１を所定の直流電力に変換する直流／直流変換装置ＤＤを少なくとも一つ収納した直流分電盤であり、交流分電盤Ｙの近傍又はその内部又はその外部に設けられている。ＤＤ１は直流分電盤Ｄ２に設けられ電源部を設けないことを特徴とするＬＥＤ照明であるＥ１の配線用の接続端子であり直流３Ｖから直流４８Ｖまでの選択可能手段が設けられ当該手段を介して直流１２Ｖに設定され、ＤＤ２は直流分電盤Ｄ２に設けられ電源部を設けないことを特徴とするＬＥＤ照明であるＥ２の配線用の接続端子であり直流３Ｖから直流４８Ｖまでの選択可能手段が設けられ当該手段を介して直流３Ｖに設定され、ＤＤ３は直流分電盤Ｄ２に設けられ���源部を設けないことを特徴とするＬＥＤ照明であるＥ７の配線用の接続端子であり直流３Ｖから直流４８Ｖまでの選択可能手段が設けられ当該手段を介して直流６Ｖに設定され、ＤＤ４は直流分電盤Ｄ２に設けられ電源部を設けないことを特徴とするＬＥＤ照明であるＥ９の配線用の接続端子であり直流３Ｖから直流４８Ｖまでの選択可能手段が設けられ当該手段を介して直流９Ｖに設定されている。ＬＥＤ照明接続端子ＤＤ１からはＬＥＤ照明Ｅ１のための配線路ＤＬ１が屋内空間Ｈｂ２１でかつ部屋Ｈｂ３０の近傍に設けられ、ＬＥＤ照明接続端子ＤＤ２からはＬＥＤ照明Ｅ２のための配線路ＤＬ２が屋内空間Ｈｂ２１でかつ部屋Ｈｂ３０の近傍に設けられ、ＬＥＤ照明接続端子ＤＤ３からはＬＥＤ照明Ｅ７のための配線路ＤＬ３が屋内空間Ｈｂ２１でかつ部屋Ｈｂ４０の近傍に設けられ、ＬＥＤ照明接続端子ＤＤ４からはＬＥＤ照明Ｅ９のための配線路ＤＬ４が屋内空間Ｈｂ２１でかつ部屋Ｈｂ５０の近傍に設けられている。部屋Ｈｂ３０の天井部Ｈｂ３１の任意部位にはＬＥＤ照明専用端子Ｃ１とＬＥＤ照明専用端子Ｃ２が設けられ、ＬＥＤ照明専用端子Ｃ１には配線路ＤＬ１が接続されＬＥＤ照明専用端子Ｃ２には配線路ＤＬ２が接続される。部屋Ｈｂ４０の床部Ｈｂ４３の任意部位にはＬＥＤ照明専用端子Ｃ７が設けられ、ＬＥＤ照明専用端子Ｃ７には配線路ＤＬ３が接続される。部屋Ｈｂ５０の壁面部Ｈｂ５２の任意部位にはＬＥＤ照明専用端子Ｃ９が設けられ、ＬＥＤ照明専用端子Ｃ９には配線路ＤＬ４が接続される。ＬＥＤ照明Ｅ１は天井用照明であり接続コードＬ１を介してＬＥＤ照明専用端子Ｃ１に着脱可能手段を介して接続され、ＬＥＤ照明Ｅ２は非常用照明でありＬＥＤ照明専用端子Ｃ２に着脱可能手段を介して接続され、ＬＥＤ照明Ｅ７は卓上ライトであり接続コードＬ７を介して、ＬＥＤ照明専用端子Ｃ７に着脱可能手段を介して接続され、ＬＥＤ照明Ｅ９はスポットライトであり接続コードＬ９を介してＬＥＤ照明専用端子Ｃ９に着脱可能手段を介して接続される。
【実施例７】
【００３７】  図２と図４より、直流分電盤Ｄ２は燃料電池ＤＰ２で発電された直流電力ＤＹ１０を所定の直流電力に変換する直流／直流変換装置ＤＤを少なくとも一つ収納した直流分電盤であり、直流分電盤Ｄ２には交流／直流変換装置ＡＤｂを少なくとも一つ収納することも可能であり、この交流／直流変換装置ＡＤｂを介して交流分電盤Ｙを介した交流電力Ｙ１を蓄電池Ｂ４に充電することが可能になる。
また、図２と図４より、直流／直流変換装置ＤＤには、燃料電池ＤＰ２で発電された直流電力ＤＹ１０や、蓄電池Ｂ３から放電された直流電力ＤＹ２０が、ＬＥＤ照明接続端子ＤＤ１、ＬＥＤ照明接続端子ＤＤ２、ＬＥＤ照明接続端子ＤＤ３、ＬＥＤ照明接続端子ＤＤ４、ＬＥＤ照明接続端子ＤＤｎ（ｎ：４以上の自然数）に提供されることになる。
また、図２と図４より、電力会社に売電する手段を備えた電力制啣装置Ｓ３を交流分電盤Ｙの近傍又はその内部又はその外部に備えることによって、
交流／直流変換装置ＡＤｂを介して、燃料電池ＤＰ２で発電された直流電力ＤＹ１０は配線ＤＹ１２を介して、蓄電池Ｂ４から放電された直流電力を、１００Ｖや２００Ｖの交流電圧ｄｂ１に変換され、電力制御装置Ｓ３を介して電力会社に売電することが可能になる。
また、図２と図４より、燃料電池ＤＰ２の近傍に充放電可能な蓄電池Ｂ３を設け、燃料電池ＤＰ２で発電された直流電力が蓄電されるようになっていてもよく、この場合の蓄電池Ｂ３の作用としては、燃料電池ＤＰ２で発電された直流電力を充電し、必要な時にはいつでも蓄電池Ｂ３から放電された直流電力を直流／直流変換装置ＤＤを介してＬＥＤ照明接続端子ＤＤ１やＬＥＤ照明接続端子ＤＤ２やＬＥＤ照明接続端子ＤＤ３やＬＥＤ照明接続端子ＤＤ４に提供することが可能になる。
またこの実施例では、一般的に市販されている直流発電装置の中から燃料電池ＤＰ２を選択したが、燃料電池ＤＰ２に代えて、又は組合わせて太陽光発電装置ＤＰ１（図示せず）や電気自動車ＤＰ３（図示せず）を用いてもよい。
【実施例８】
【００３８】  また図２と図４より、ＤＤｎ（ｎは５以上の自然数）は直流分電盤Ｄ２に設けられ電源部を設けないことを特徴とするＬＥＤ照明を少なくとも一つ以上追加接続するための接続端子であり、直流電圧は、４８Ｖ、２４Ｖ、１２Ｖ、９Ｖ、６Ｖ、４．５Ｖ、３Ｖ、１．５Ｖ、などから選択できるように構成される。ＬＥＤ照明接続端子ＤＤｎには、住宅Ｈｂの屋内空間や屋外空間（建築物外部（屋根、外壁、など）装飾用、建築物周辺部（庭部、庭木、など））などに配線路ＤＬｎ（ｎは５以上の自然数）が接続されるように構成される。配線路ＤＬｎ（ｎは５以上の自然数）には、ＬＥＤ照明専用端子Ｃｎ（ｎは９以上の自然数）が少なくとも一つ以上設けられるように構成される。ＬＥＤ照明専用端子Ｃｎ（ｎは９以上の自然数）は、ＬＥＤ照明Ｅｎ（ｎは９以上の自然数）が着脱可能に接続されるように形成されている。ＬＥＤ照明Ｅｎ（ｎは９以上の自然数）は本明細書に記載した電源部を設けないことを特徴とするＬＥＤ照明の中から選択され、単独または複数以上組合わせて用いられるようになっている。
【実施例９】
【００３９】  図２と図４より、交流／直流変換装置ＡＤｂと交流分電盤Ｙの間に、電力会社に売電する手段を備えた電力制御装置Ｓ３を交流分電盤Ｙの近傍又はその内部又はその外部に備えていることが好ましい。その結果、（１）電力会社から提供される交流電力Ｙ１を交流／直流変換装置ＡＤｂを介して蓄電池Ｂ４に蓄えられ必要なときに随時放電して得られる直流電力ＤＹ３０を交流／直流変換装置ＡＤｂを介して得られる交流電力ｄｂ１や、（２）燃料電池ＤＰ２から得られる直流電力ＤＹ１０を交流／直流変換装置ＡＤｂを介して得られた交流電力ｄｂ２や、（３）燃料電池ＤＰ２から得られる直流電力ＤＹ１０を蓄電池Ｂ３に蓄電し必要なときに随時放電して得られる直流電力ＤＹ４０を交流／直流変換装置ＡＤｂを介して得られた交流電力ｄｂ３を、利用者が必要と判断したときには余剰電力Ｙ２として電力制御装置Ｓ３と交流分電盤Ｙと電力線ＹＴ１を介して電力会社に売電することも可能になる。
また、例えば住宅Ｈｂで使用される消費電力を約２ｋｗ／ｈになるようにＬＥＤ照明Ｅｎ（ｎは１以上の自然数）の使用数や配置を設計することで、例えば発電量が約２ｋｗ／ｈになるよう設計された燃料電池ＤＰ２を設置し、例えば蓄電容量の合計が約２ｋｗ／ｈになるように蓄電池Ｂ３と蓄電池Ｂ４を設けることで、例えば割安になる深夜電力を用いて蓄電池Ｂ３と蓄電池Ｂ４を蓄電し、住宅Ｈｂの日中の使用電力を蓄電池Ｂ３と蓄電池Ｂ４の放電分でまかない、燃料電池ＤＰ２の発電分を余剰電力Ｙ２として電力制御装置Ｓ３と交流分電盤Ｙと電力線ＹＴ１を介して電力会社に売電することも可能になる。
また、当該実施例によって、住宅Ｈｂは電力会社に頼らない住宅として機能することも可能になる。また、蓄電池Ｂ３と蓄電池Ｂ４は分離可能なように形成されていてもよいし一体型でも構わないものとする。
【実施例１０】
【００４０】  図１から図４より、本明細書に記載した電源部を設けないことを特徴とするＬＥＤ照明Ｅ１、ＬＥＤ照明Ｅ２、ＬＥＤ照明Ｅ３、ＬＥＤ照明Ｅ４、ＬＥＤ照明Ｅ５、ＬＥＤ照明Ｅ６、ＬＥＤ照明Ｅ７、ＬＥＤ照明Ｅ８、ＬＥＤ照明Ｅ９、ＬＥＤ照明Ｅｎ（ｎは９以上の自然数）に関しては、ＬＥＤ発光チップの負荷抵抗の平準化または調節用に少なくとも一つの抵抗素子や抵抗チップを内蔵しても構わないものとする。
また、図１から図４より、直流／直流変換装置ＤＤには直流３Ｖから直流４８Ｖまでの選択可能手段が設けられ、該選択可能手段を介して出力された電圧に対応する直流コンセントに接続することも可能であり、この際、直流出力電圧に応じてコンセントの形状、寸法等を変えておくとよい。
また、図１から図４より、蓄電池Ｂ１、蓄電池Ｂ２、蓄電池Ｂ３、蓄電池Ｂ４、には出力電圧を制御する回路部を含み、放電だけではなく充電を制御する回路部も含んでいるものとする。また、蓄電池Ｂ１、蓄電池Ｂ２、蓄電池Ｂ３、蓄電池Ｂ４は、本明細書で示した電力系統により適時充電されるものとする。
また、図１から図４より、太陽光発電装置ＤＰ１や燃料電池ＤＰ２には出力電圧を制御する回路部を含むものとする。また、交流分電盤Ｗ、交流分電盤Ｙについては既存の住宅用分電盤をそのまま転用することができる。【００４１】  上記実施の形態の説明は、本発明を説明するためのものであって、特許請求の範囲に記載の発明を限定し、或は範囲を減縮するものではない。又、本発明の各部構成は上記実施の形態に限らず、特許請求の範囲に記載の技術的範囲内で種々の変形が可能である。
【産業上の利用可能性】
【００４２】  本発明の電源部の無いＬＥＤ照明専用の建築物が普及することによって、確実に我が国の使用電力は低減することになり、その分余剰となった電力を産業界で利用できるので、産業上の利用価値が高い。また、本発明の実施例と本発明の効果によって、住宅Ｈａと住宅Ｈｂは発電所として機能することになり第三次産業革命の発展に寄与することが可能になる。（第三次産業革命に関してはジェレミー・リフキン著「第三次産業革命」２０１２年７月インターシフト刊、を参照するものとする）
【図面の簡単な説明】
【００４３】
【図１】本発明の実施の形態例を示す概略説明図である。
【図２】本発明の実施の形態例を示す概略説明図である。
【図３】図１を説明するブロック図である。
【図４】図２を説明するブロック図である。
【符号の説明】
【００４４】Ｈａ：住宅，Ｈａ１０：屋根部，Ｈａ２０：屋内部，Ｈａ２１：屋内空間
Ｈａ３０：部屋，Ｈａ３１：天井部，Ｈａ３２：壁面部，Ｈａ３３：床部
Ｈａ４０：部屋，Ｈａ４１：天井部，Ｈａ４２：壁面部，Ｈａ４３：床部
Ｈａ５０：部屋，Ｈａ５１：天井部，Ｈａ５２：壁面部，Ｈａ５３：床部
Ｈｂ：住宅，Ｈｂ１０：屋根部，Ｈｂ２０：屋内部，Ｈｂ２１：屋内空間
Ｈｂ３０：部屋，Ｈｂ３１：天井部，Ｈｂ３２：壁面部，Ｈｂ３３：床部
Ｈｂ４０：部屋，Ｈｂ４１：天井部，Ｈｂ４２：壁面部，Ｈｂ４３：床部
Ｈｂ５０：部屋，Ｈｂ５１：天井部，Ｈｂ５２：壁面部，Ｈｂ５３：床部
ＷＴ：電柱，ＷＴ１：電力線，ＹＴ：電柱，ＹＴ１：電力線
Ｗ：交流分電盤，Ｗ１：交流電力，Ｗ２：交流電力，Ｗ５：余剰電力，Ｗ６：交流電力
Ｙ：交流分電盤，Ｙ１：交流電力，Ｙ２：余剰電力
Ｄ１：直流分電盤，Ｄ２：直流分電盤
ＡＤａ：交流／直流変換装置，ＡＤｂ：交流／直流変換装置
ＡＤ１：ＬＥＤ照明接続端子，ＡＤ２：ＬＥＤ照明接続端子
ＡＤ３：ＬＥＤ照明接続端子，ＡＤ４：ＬＥＤ照明接続端子
Ｅ１：ＬＥＤ照明，Ｅ２：ＬＥＤ照明，Ｅ７：ＬＥＤ照明，Ｅ９：ＬＥＤ照明
ＤＬ１：配線路，ＤＬ２：配線路，ＤＬ３：配線路，ＤＬ４：配線路
Ｃ１：ＬＥＤ照明専用端子，Ｃ２：ＬＥＤ照明専用端子，
Ｃ７：ＬＥＤ照明専用端子，Ｃ９：ＬＥＤ照明専用端子
Ｌ１：接続コード，Ｌ７：接続コード，Ｌ９：接続コード
ＤＰ１：太陽光発電装置，ＤＰ２：燃料電池
ＤＷ１０：直流電力，ＤＷ１１：配線
ＤＡ１：直流／交流変換装置，ｄａ１：交流電圧，
Ｂ１：蓄電池，Ｂ２：蓄電池，Ｂ３：蓄電池，Ｂ４：蓄電池
ＤＷ２０：直流電力，ＤＷ２１：配線
ＤＷ１：直流電力，ＤＷ３０：直流電力
ＤＹ１０：直流電力，ＤＹ１１：配線，ＤＹ１２：配線
ＤＹ２０：直流電力，ＤＹ３０：直流電力，ＤＹ３１：配線
Ｓ１：電力制御装置，Ｓ２：電力制御装置，Ｓ３：電力制御装置
ＤＤ：直流／直流変換装置
ＤＤ１：ＬＥＤ照明接続端子，ＤＤ２：ＬＥＤ照明接続端子
ＤＤ３：ＬＥＤ照明接続端子，ＤＤ４：ＬＥＤ照明接続端子
ｄｂ１，ｄｂ２，ｄｂ３：交流電力
【図１】
2014042437.tif 000003
【図２】
2014042437.tif 000004
【図３】
2014042437.tif 000005
【図４】
2014042437.tif 000006